(57)【特許請求の範囲】
【請求項１】
ボトル状とされた容器本体とこの容器本体に上方から被せ付けられたキャップとからなる容器であって、
前記容器本体には収容している液体が浸透する芯体が入れられて、この芯体の上端部が容器本体の口部に位置し、
前記キャップは、容器本体の上部周りを複数の透孔を有する周壁で囲む略筒状とされたキャップ本体と、キャップ本体の上部に配されて容器本体の上部を覆うオーバーキャップとからなり、
前記オーバーキャップの内側に、前記芯体との接触により芯体側から液体が浸透して液体の気化を促進させる気化促進部材が取り付けられており、
前記キャップ本体の上部側の開口部分に、周壁との間に四方にして渡されたステーで支持されている略環状のフィルム取付座が設けられていて、該フィルム取付座が前記口部に被せ付けられており、このフィルム取付座が前記気化促進部材の下方に配されているとともに、フィルム取付座の中央の開口に芯部の上端部が位置し、
前記気化促進部材と芯体との間に、芯体の上端部を覆って前記フィルム取付座に分離可能に取り付けられたフィルムとこのフィルムに連接しフィルム上に折り返された状態で容器外方に表出するフィルム引き剥がし片とからなる遮断部材が位置して、芯体と気化促進部材とが非接触とされていて、
前記フィルム引き剥がし片の前記表出部分の引き出しにより、遮断部材が気化促進部材と芯体との間から取り外されて芯体と気化促進部材とが接触する構成とされていることを特徴とする包装容器。
【請求項２】
上記芯体の上端部に上記気化促進部材が上記遮断部材を介して当接している請求項１に記載の包装容器。
【請求項３】
上記フィルムは上方に凸となる突出部を有していて、該突出部の下方に上記芯体の上端部が位置している請求項１または２に記載の包装容器。
【請求項４】
上記気化促進部材は、上記芯体の上端部に対応する部分に、下方に凸にして上記フィルムに当接する膨出部を有している請求項１から３の何れか一項に記載の包装容器。
【発明の詳細な説明】
【技術分野】
【０００１】
本発明は芳香剤などの液体を収容する包装容器に関するものである。
【背景技術】
【０００２】
従来から、居室内などでの臭い消しとして芳香剤や消臭剤が利用されており、据え置きタイプの商品としては、芳香剤や消臭剤などの揮発作用のある液体を容器に収容し、浸透性の良好な素材からなる棒状部材を芯体として液体に浸らせて、芯体から液体（薬液）を気化させる仕組みとしたり、表面積が広く液体の浸透と気化とが良好なろ紙などからなる気化促進部材を芯体に接触させ、その芯体側から浸透した液体を前記気化促進部材から気化させる仕組みの商品が流通している。
【０００３】
そして、芳香剤や消臭剤などの商品は流通時や店頭陳列時には収容している液体を気化させないようにする必要があり、容器本体に収容している液体に芯体を浸らせてその芯体から直接気化させるタイプや、上述のように前記芯体に気化促進部材を接触させてその気化促進部材から気化させるタイプの商品では、容器本体の口部を捨てキャップで覆っていて、さらにその上から商品外観を整えるとともに気化ガスを通す複数の透孔を有したキャップを取り外し可能にして容器本体に着脱可能にして被せ付けている。
【０００４】
上記捨てキャップも容器本体の口部に取り外し可能にして取り付けられていて、容器本体に予めセットされている芯体はその上端部が捨てキャップの下方に位置した状態となっており、このタイプの容器を採用した芳香剤や消臭剤などの商品を購入した消費者は、その使用を開始するに当たっては、一旦キャップを容器本体から取り外してから芯体の上端部を表出させるために捨てキャップを取り外し、再びキャップを容器本体に被せるという作業を行なっているのが現状である。
【０００５】
一方、特許文献１には、上記容器口部をフィルムで覆っていてこのフィルムを破る操作を行なうことで、容器本体側の芯体から気化促進部材へと液体が浸透できるようにした工夫が示されている。この特許文献１に示されている技術は、容器本体の口部に芯体の上端部を位置させてフィルムで口部を覆うとともに、容器本体の上部に被せるキャップには使用時に押し下げてフィルムを破るピンを設けておき、ピンの押し下げでフィルムを芯体上端部の位置で破り、ピン下端にある吸い上げ芯体が容器本体側の芯体の上端部に突き刺さるとともに、吸い上げ芯体の先端を介して容器本体の上部側に配した発散体に液体が浸透するようにしたものであった。
【先行技術文献】
【特許文献】
【０００６】
【特許文献１】特開昭６１−２０００４９号公報
【発明の概要】
【発明が解決しようとする課題】
【０００７】
上記特許文献１に示された技術にあっては、容器本体の口部から捨てキャップを取り外すためのキャップの着脱の手間を省くことができる点では有利であるが、必要時にフィルムを突き破って吸い上げ芯先端を容器本体側の芯体と発散体との間に安定的に位置させるための機構を、容器本体の上部に被せる容器上部構造体に組み入れる必要があって、容器としては構造が複雑になり作製コストを引き上げるものであった。
【０００８】
このようなことから、上記商品については購入した一般消費者が使用に際して容器本体の上部に被っているキャップを取り外して容器本体の口部から捨てキャップを外し、その後に再びキャップを容器本体に戻して被せ付けるという上述の作業がどうしても必要となってしまう問題が解決できていない。
【０００９】
そこで本発明は上記事情に鑑み、容器本体の口部に配された芯体の上端部と容器本体の上部に被せるキャップの内部に配した気化促進部材とが接触して、容器本体に収容の液体が前記気化促進部材まで浸透して気化できるようにした容器について、キャップの取り外しを行なわずに芯体の上端部を覆っている部材を取り外すことができるようにすることを課題とし、キャップの着脱作業のない取り扱い容易な包装容器を提供することを目的とするものである。
【課題を解決するための手段】
【００１０】
（請求項１の発明）
本発明は上記課題を考慮してなされたもので、ボトル状とされた容器本体とこの容器本体に上方から被せ付けられたキャップとからなる容器であって、
前記容器本体には収容している液体が浸透する芯体が入れられて、この芯体の上端部が容器本体の口部に位置し、
前記キャップは、容器本体の上部周りを複数の透孔を有する周壁で囲む略筒状とされたキャップ本体と、キャップ本体の上部に配されて容器本体の上部を覆うオーバーキャップとからなり、
前記オーバーキャップの内側に、前記芯体との接触により芯体側から液体が浸透して液体の気化を促進させる気化促進部材が取り付けられており、
前記キャップ本体の上部側の開口部分に、周壁との間に四方にして渡されたステーで支持されている略環状のフィルム取付座が設けられていて、該フィルム取付座が前記口部に被せ付けられており、このフィルム取付座が前記気化促進部材の下方に配されているとともに、フィルム取付座の中央の開口に芯部の上端部が位置し、
前記気化促進部材と芯体との間に、芯体の上端部を覆って前記フィルム取付座に分離可能に取り付けられたフィルムとこのフィルムに連接しフィルム上に折り返された状態で容器外方に表出するフィルム引き剥がし片とからなる遮断部材が位置して、芯体と気化促進部材とが非接触とされていて、
前記フィルム引き剥がし片の前記表出部分の引き出しにより、遮断部材が気化促進部材と芯体との間から取り外されて芯体と気化促進部材とが接触する構成とされていることを特徴とする包装容器を提供して、上記課題を解消するものである。
【００１１】
（請求項２の発明）
そして、本発明において、上記芯体の上端部に上記気化促進部材が上記遮断部材を介して当接していることが良好である。
【００１２】
（請求項３の発明）
また、本発明において、上記フィルムは上方に凸となる突出部を有していて、該突出部の下方に上記芯体の上端部が位置していることが良好である。
【００１３】
（請求項４の発明）
さらに、上記気化促進部材は、上記芯体の上端部に対応する部分に、下方に凸にして上記フィルムに当接する膨出部を有していることが良好である。
【発明の効果】
【００１５】
本発明によれば、フィルム引き剥がし片の表出部分の引き出しによりフィルムが気化促進部材と芯体との間から外されて芯体と気化促進部材とが接触するものとされているので、一般消費者がフィルムを取り外して口部に位置する芯体とキャップ側の気化促進部材とを接触させる場合に、フィルム引き剥がし片を引っ張るという簡単な操作で行なえ、容器本体からキャップを取り外して口部を開放した後に再びそのキャップを被せ付けるという手間を不要にすることができるという優れた効果を奏するものである。
【図面の簡単な説明】
【００１６】
【図１】本発明に係る包装容器の一例を示す説明図である。
【図２】一例を断面で概略的に示す説明図である。
【図３】キャップ本体を容器本体に取り付けた状態で示す説明図である。
【図４】遮断部材とフィルム取付座と容器口部とを分離した状態で示す説明図である。
【図５】気化促進部材と遮断部材との重なりを断面で示す説明図である。
【図６】気化促進部材の変形例を断面で示す説明図である。
【図７】同じく気化促進部材の変形例を断面で示す説明図である。
【図８】遮断部材の変形例を断面で示す説明図である。
【図９】膨出部のある気化促進部材と突出部のある遮断部材とを組み合わせた例を示す説明図である。
【図１０】遮断部材の変形例を断面で示す説明図である。
【発明を実施するための形態】
【００１７】
つぎに本発明を図１から図１０に示す実施の形態に基づいて詳細に説明する。
図中１は包装容器で、図１と図２に示すように該包装容器１は、芳香剤や消臭剤などの液体を収容する容器本体２の上方からキャップ３が被せ付けられているものである。容器本体２は図示されているように上方を口部４とするボトル状に設けられていて、前記口部４は、瓶口５に中栓６を嵌め入れ、前記中栓６の段落としした中央の凹部に、その凹部底から容器本体２の下方に吐出した筒に挿入されて容器本体２に収容の液体が浸透する芯体７の上端部８が位置してなるものである。
【００１８】
このように容器本体２の単体では、その容器本体に収容している液体が芯体７に浸透し、中栓６の中央で表出する芯体７の上端部８にも液体が浸透するように設けられている。一方、この容器本体２の上部に被せ付けるキャップ３は、キャップ本体９とこのキャップ本体９の上部にオーバーキャップ１０とを組み合わせてなるものである。キャップ本体９は図３に示すように、上下が開放されて周囲に周壁１１を連続させた略筒状の形態とされ、前記周壁１１には複数の透孔１２が設けられている。
【００１９】
また、キャップ本体９の上部側の開口部分には、上記容器本体２の口部４に対応する位置にして略環状としたフィルム取付座１３が設けられていて、周壁１１との間に図示されているように四方にした四本のステー１４を渡して支持されている。そして、キャップ３が容器本体２の上部に被せ付けることで前記フィルム取付座１３が前記口部４に被せ付けられていて、フィルム取付座１３の中央の開口に上記芯体７の上端部８が位置する。
【００２０】
上記フィルム取付座１３には、容器本体２に収容する液体やその液体から生じる気化ガスが透過せず、また、収容する液体を変質させる外界の気体、例えば酸素を透過させずに遮断する機能を備えた遮断部材１５が被せられている。前記遮断部材１５は上記フィルム取付座１３の上に配されているフィルム１６を主体としていて、このフィルム１６がフィルム取付座１３の上端周面に亘って分離可能にしてヒートシールにより取り付けられている。
【００２１】
フィルム取付座１３上にある上記遮断部材１５は、フィルム１６の縁を直接摘み持ってめくり上げながらはぎ取ることができるシール強度で取付固定されてはいるが、本発明では後述するように包装容器１の外側からの操作で一辺側から捲り返すようにして取り外すことが可能となっているものである。その操作を可能とするために、フィルム１６の一辺にフィルム引き剥がし片１７が一体にして連続しており、フィルム引き剥がし片１７がフィルム１６の上に折り返されてからキャップ本体９とオーバーキャップ１０との間を通ってキャップ３の外方に表出している。
【００２２】
容器本体２の口部４での瓶口５と中栓６との間、中栓６の芯体７が通っている部分、そして、前記口部４とフィルム取付座１３との間それぞれは、液体を充填した包装容器１の流通段階での取り扱いで液体が漏れ出ることのないように設けられている。勿論、フィルム取付座１３の上端面に位置するフィルム１６もフィルム取付座１３との間から液漏れを生じさせないシール性を確保している。そのため、上記フィルム引き剥がし片１７を引っ張る際、フィルム引き剥がし片１７に加える引張力が大きくなる可能性がある。
【００２３】
そこで、本実施の例では、そのような場合に備えて、フィルム取付座１３の上端面でのシール面１３ａは、図４に示すようにフィルム引き剥がし片１７が連続している側の部分において、そのフィルム引き剥がし片１７の基端位置に向く方向に先細りした尖頭１３ｂに設けられている。このようにすることで、フィルム引き剥がし片１７を引き剥がす際、フィルム取付座１３からの剥離の切っ掛けとなる剥離開始端が簡単に生じ、はぎ取りが進み易くなり、引っ張り初期に加える力を強くしなくとも、フィルム１６のはぎ取りが容易にできるようになる。
【００２４】
このようにキャップ本体９の上部側では、フィルム取付座１３の上面にフィルム１６を取り付けるとともに、そのフィルム１６に連続しているフィルム引き剥がし片１７を連続部位からフィルム１６の上に重なるように折り返している構造とした遮断部材１５が位置している。そして、このキャップ本体９の上部に重なるようにして上記オーバーキャップ１０が取り付けられている。
【００２５】
上記オーバーキャップ１０には天板１８の下面に、上記芯体７との接触により芯体７側から液体が浸透し、浸透した液体の気化が効率よく行なわれるようにした構造を備える気化促進部材１９が取り付けられている。この気化促進部材１９は多孔質で通気性の高いろ紙を液体の気化が効率よく行なえるようにするという目的に合致した厚さにしたものから形成されている。なお、気化促進部材１９の材料は前記ろ紙に限定されるものではない。
【００２６】
天板１８の下面に気化促進部材１９を取り付けたオーバーキャップ１０をキャップ本体９の上部に取り付けることで、気化促進部材１９が遮断部材１５（フィルム１６とフィルム引き剥がし片１７）を挟み込んだ状態で扁平な遮断部材１５に密に重なっていて、フィルム引き剥がし片１７が重なっている部分でも、前記気化促進部材１９の下面２０とフィルム１６とが近接するように設けられている（図５）。
【００２７】
さらにフィルム引き剥がし片１７は気化促進部材１９の下面２０に沿うようにしてキャップ３の外部側に延設されており、オーバーキャップ１０の外周面の一部に形成された切り欠き状の開口部分２１を通ってキャップ３の外部に表出している。この表出部分２２が、上述したフィルム１６を引き剥ぐときに摘み持つ部位となる。
【００２８】
そして、キャップ本体９の上部にオーバーキャップ１０を取り付けてなるキャップ３が容器本体２の上部に被せ付けられていて、これによって図示するようにオーバーキャップ１０側の上記気化促進部材１９は、遮断部材１５を間にして上記芯体７と対向しており、気化促進部材１９の下面２０と芯体７の上端部８とが近接した状態に設けられている。
【００２９】
図５に示す例では、フィルム取付座１３にあるフィルム１６は平坦に張った状態にして取り付けられており、これに重なるフィルム引き剥がし片１７も平坦であって、遮断部材１５全体が扁平である。そして、オーバーキャップ１０側の気化促進部材１９は略板状にしてその下面２０が平坦であり、この下面２０を平坦としている気化促進部材１９が前記フィルム１６側に重なっている。また、口部４では、芯体７の上端部８がフィルム取付座１３の上端面の高さに揃ってフィルム１６の裏面に接する高さ位置としており、このようにして、気化促進部材１９の下面２０と芯体７の上端部８とが近接した状態に設けられている例である。
【００３０】
そして、上記例での包装容器１において、遮断部材１５を取り外すには、キャップ３の上記開口部分２１からフィルム引き剥がし片１７の表出部分２２を引っ張ればよい。このようにすることにより、フィルム１６は、フィルム引き剥がし片１７が連続している部分から引っ張られる方向に捲り上がるようにしてフィルム取付座１３の上端面から外れる。これによって上記芯体７の上端部８と上記気化促進部材１９の下面２０とが接触し、芯体７に浸透している液体が気化促進部材１９にも浸透することとなり、この気化促進部材１９の部分で気化し易くなる。気化ガスはキャップ本体９の周壁１１にある透孔１２を通って容器外に放散される。なお、図５〜図１０では遮断部材の断面形状を把握し易くするために厚みをもって図示されているが、遮断部材自体は薄いフィルム部材から形成されているものであり、遮断部材が無くなればこの遮断部材を挟み込み保持していた形態となっていた芯体７と気化促進部材１９とが接触することとなる。
【００３１】
上記実施の例では、気化促進部材１９を、上記目的に適した厚さを有する略板状にしてその下面２０を平坦にしているものであるが、本発明はこれに限定されるものではない。図６、図７では前記気化促進部材１９の変形の例を示していて、気化促進部材１９における芯体７の上端部８に対応する部分に、下方に凸にして遮断部材１５のフィルム１６に当接する膨出部２３を有しているようにすることができる。図６は、芯体７の上端部８に対応する部分の厚さを大きくして膨出部２３を形成した例を示している。図７は、芯体７の上端部８に対応する部分の断面形状を下方に凸の湾曲した形状にして前記膨出部２３を形成した例を示していて、このように膨出部２３を形成するための気化促進部材１９の断面形状は特に限定されるものではない。
【００３２】
そして、上述のように気化促進部材１９の上記膨出部２３は、図６、図７に示す構造において、オーバーキャップ１０をキャップ本体９の上部に組み付けることで遮断部材１５に当接するように設けられており、遮断部材１５に上方から当接する膨出部２３が芯体７の上端部８に対応位置するようにしている。この構造の例でもフィルム引き剥がし片１７の引っ張りによりフィルム１６をフィルム取付座１３から引き剥がすようにすることで、前記膨出部２３が芯体７の上端部８と直接に当接するように設けられている。
【００３３】
また、図８は、上記遮断部材１５自体に、上方に凸となる突出部２４が設けられている例を示して、気化促進部材１９は略板状のものが採用されている。図示の例では遮断部材１５のフィルム１６について、フィルム取付座１３の中央の開口に対応する部分の断面を上方に凸となるドーム状の形状にして突出部２４を形成しており、この場合にも、前記突出部２４の下方に上記芯体７の上端部８が対応位置している。図８に示すように対応する前記芯体７の上端部８の高さ位置は、突出部２４の頂部の裏面に当接しているものとすればよい。
【００３４】
また、気化促進部材１９の平坦な下面２０が突出部２４を押圧する状態で重なるようにする場合には、芯体７の上端部８を突出部２４の頂部から隙間を存した高さ位置に配するようにでき、かつ、前記突出部２４自体も気化促進部材１９から受ける荷重に対する剛性を備えるものとすればよい。このようにすることで、上述した方法で遮断部材１５を取り外せば、気化促進部材１９の下面２０が降下して芯体７の上端部８に接することとなり、気化促進部材１９の下面と芯体７の上端部８との当接が確実に確保できるようになる。
【００３５】
図９に示すように、さらに気化促進部材１９に上記膨出部２３を設けるとともに、遮断部材１５のフィルム１６にも上記突出部２４を設けておき、前記膨出部２３と突出部２４とが互いに押圧し合う状態となるようにしてもよい。この場合も、芯体７の上端部８を突出部２４の頂部に接しさせたり、突出部２４の頂部から隙間を存した高さ位置に配するようにもでき、このようにすることで、上述した方法で遮断部材１５を取り外せば、気化促進部材１９の前記膨出部２３が降下して芯体７の上端部８に接することとなり、気化促進部材１９と芯体７との当接がより一層確実に確保できるようになる。
【００３６】
遮断部材１５におけるフィルム１６に突出部２４を設ける場合として、その突出部２４をドーム状に丸みのある形状として説明したが、突出部２４の凸形状は特に限定されるものではなく、図１０に示すように突出部２４を平頭の凸形状としてもよいものである。
【符号の説明】
【００３７】
１…包装容器
２…容器本体
３…キャップ
４…口部
６…中栓
７…芯体
８…上端部
９…キャップ本体
１０…オーバーキャップ
１３…フィルム取付座
１３ａ…シール面
１５…遮断部材
１６…フィルム
１７…フィルム引き剥がし片
１９…気化促進部材
２３…膨出部
２４…突出部
【図１】
0005899646.tif 000002
【図２】
0005899646.tif 000003
【図３】
0005899646.tif 000004
【図４】
0005899646.tif 000005
【図５】
0005899646.tif 000006
【図６】
0005899646.tif 000007
【図７】
0005899646.tif 000008
【図８】
0005899646.tif 000009
【図９】
0005899646.tif 000010
【図１０】
0005899646.tif 000011